(57)【特許請求の範囲】
【請求項１】
バックシートと、このバックシートに結合された糞便管理部材とを有する使い捨て吸収体であって、前記糞便管理部材は、支持部と、複数の繊維で形成されたシートとを有し、この複数の繊維で形成されたシートは、互いに間隔を置いた結合位置において前記支持部に留められたアンカー部分と、結合位置の間で前記支持部から突出した前記シートの弓状部分とを有する使い捨て吸収体において、前記弓状部分が、表面コーティング剤を有することを特徴とする使い捨て吸収体。
【請求項２】
前記表面コーティング剤は、シリコーンを含む合成物、並びに／または、油分を含む合成物である請求項１の使い捨て吸収体。
【請求項３】
トップシートをさらに有する請求項１の使い捨て吸収体。
【請求項４】
前記糞便管理部材の少なくとも一部分は、前記トップシートと前記バックシートとの間に位置された請求項３の使い捨て吸収体。
【請求項５】
前記糞便管理部材は、前記トップシートに固定されていない請求項４の使い捨て吸収体。
【請求項６】
前記糞便管理部材と前記バックシートとの間に位置された吸収性の芯をさらに有する、請求項１の使い捨て吸収体。
【請求項７】
前記弓状部分は、前記支持部から少なくとも０，５ｍｍの高さを有する、請求項１の使い捨て吸収体。
【請求項８】
前記糞便管理部材は、１００ｇ／ｃｍ2負荷のもとで、３０秒経た後に少なくとも８５％の弾性を有する、請求項１の使い捨て吸収体。
【請求項９】
複数の繊維で形成された前記シートは、前記支持部の親水性より低い親水性を有する、請求項１の使い捨て吸収体。
【請求項１０】
前記おむつは、後ウエスト部と、前ウエスト部とを有し、前記糞便管理部材は、前記使い捨て吸収体の少なくとも後ウエスト部に位置された、請求項１の使い捨て吸収体。
【発明の詳細な説明】
【０００１】
【発明の属する技術分野】
本発明は、おむつ、失禁者用製品、生理用ナプキン等の使い捨て吸収体等を含む、身体の滲出物を吸収する、並びに／もしくは、包含する物品に関する。特に、本発明は、漏れを減じるとともに、汚れた使い捨て吸収体が外されたときに、簡単に装着者を清潔にできるように、低粘度の糞便物が装着者の肌に触れない状態を保持可能な、使い捨て吸収体に関する。
【０００２】
【従来の技術】
おむつや失禁者用製品のような使い捨て吸収体は、当業者に公知である。このような使い捨て吸収体は、装着者が排泄した糞便や尿などを集め、保持する。
【０００３】
現在まで、この分野における、集めて、保持された尿や糞便物を処理しようとする試みのほとんどは、尿処理に集中してきた。これは、低粘度の物の複雑なレオロジーが原因で、使い捨て吸収体によって集められた糞便物の処理が、単に、尿処理よりも難しかったからである。
【０００４】
先行技術の尿処理の一例には、装着者の身体と向かいあい、接触する第１のトップシートと、第１のトップシートの下に位置する第２のトップシートとを有する使い捨て吸収体を提供しようといういくつかの試みがある。これらのトップシートは、使い捨て吸収体が装着者から取り外されるまで、尿を吸収しているか、もしくは、尿を、下に敷かれた保持芯に移動させる。
【０００５】
代表的には、第１のトップシートと第２のトップシートとは、異なる材料的な特性を持つ。第２のトップシートは、第１のトップシートより孔隙が小さく、前記第２のトップシートを通しての尿の移動を助ける。第１のトップシートは、第２のトップシートより湿っているときに、第１のトップシートを通過して第２のトップシートへと流体が移動するように、疎水性で、比較的弾性があるとよい。
【０００６】
先行技術における今までの他の試みでは、使い捨て吸収体は、第１のトップシートと、第２のトップシートと、芯とを備えている。第２のトップシートは、基本的に溶融ブロー成形された親水性繊維により実質的に形成され、芯より大きい孔隙を有している。この配置により、第２のトップシートは直ちに複合的な液状侵入物を受け取り、芯による吸収に先んじてＸ−Ｙ面に液体を分配することを可能にしている。今までの他の試みにおいて、尿の垂直方向への移動能力は、表面の仕上げが自由か、互いに交差結合され、かつ膨張されたセルロース繊維を使用して、改善されている。
【０００７】
先行技術における更に他の試みでは、特に効果的かつ能率的に、尿などの液体を確保し、かつ閉じ込めるのに適した吸収性の芯が、複数の層を備えている。装着者に最も近い第１の層は、排出された液体を直ちに確保するために、親水性の繊維材料により形成され、この層のほかの部分より平均密度が比較的低い確保領域を有している。この第１の層の下には、弾性があり、低密度で、高空隙体積の材料で形成された液体処理層が設けられている。この材料は、液体確保領域を介して急速に液状侵入物を内部に確保し、これらの液体を液体処理層を通過させて保持層へと運ぶために、水分に無感覚である。この保持層は、繊維状材料と吸収性ゲル化材の離散粒子との組み合わせにより形成され、液体処理層からこの内部に確保される液体を排出させるのを可能にする。従って、液体処理層は、続いて供給される液体の吸収を確保し、これを分配するのに充分な収容能力を持つことができる。
【０００８】
先行技術におけるこのような試みの例としては、１９７７年９月１３日にＫａｒａｍｉに特許された米国特許Ｎｏ４、０４７，５３１、１９８９年１月１７日にＭｅｙｅｒに特許された米国特許Ｎｏ４，７９８，６０３、１９９１年８月６日にＣｈｅｎに特許された米国特許Ｎｏ５，０３７，４０９、１９９２年６月２３日にＢｅｒｎａｒｄｉｎに特許された米国特許Ｎｏ５，１２４，１９７、１９９２年７月２８日にＲｅｉｓｉｎｇに特許された５，１３４，００７が含まれる。
【０００９】
また、言うまでもなく、吸収性ゲル化材は、その尿処理能力のために、この分野で公知である。また、吸収性ゲル化材は、尿などの液体を大量に吸収すると共に、そのように吸収された液体を適度な圧力下で保持可能な高分子材である。吸収性ゲル化材の効果は、使い捨て吸収体の芯の中に組み入れられる吸収性ゲル化材の形状、位置、並びに重量パーセントにかなり依存している。
【００１０】
【発明が解決しようとする課題】
この分野における近年の試みは、圧力に抗して膨張可能な吸収性ゲル化材を提供するために、成されてきた。これらを教訓とすると、使用中に身体により加えられる実際上の圧力下で吸収性ゲル化材が液体を吸収するという効果を提供することが望まれる。さらに、この分野の他の教訓は、特に自由な膨張率と負荷に抗する吸収力とを備える吸収性ゲル化材を提供することである。このような吸収性ゲル化材に望まれている効果とは、低容積であること、大部分がほぼ同じ吸収力を有することと、使用中に典型的に発生する圧力下で排出された液体を直ちに吸収できる能力と、使用中に典型的に発生する圧力下で吸収した液体を保持できる能力とがある。
【００１１】
先行技術におけるそのような試みの例としては、１９９２年９月１５日にＫｅｌｌｅｎｂｅｒｇｅｒに特許された米国特許Ｎｏ５，１４７，３４３と、１９９２年９月２２日にＫｅｌｌｅｎｂｅｒｇｅｒに特許された米国特許Ｎｏ５，１４９，３３５とが含まれる。
【００１２】
しかしながら、どちらかと言えば、尿処理のこうした試みの全ては、使い捨て吸収体に同じく存在し得る低粘度の糞便物の処理を改善することには、ほとんど貢献していない。糞便物を処理する試みには、装着者に近接して適合し、穴部を有する第１のトップシートを提供することが含まれる。この穴部は、肛門の穴に見当を合わせられるのが望ましく、よって、糞便物はここを通過して空間内に移動する。第１のトップシートは、装着者の皮膚に近接して適合されるように、多様な弾性パネルを備えるか、並びに／もしくは線形で弾性のあるより糸で形成されることができる。この分野の先行技術において、第１のトップシートの材料特性を最適化するなど、改善は成されてきた。そのような最適化により、第１のトップシートは装着者にとって比較的快適なものとなり、単一の使い捨て吸収体が比較的広範囲の装着者に適合することが可能になった。
【００１３】
さらに、この分野の先行技術において、糞便物を受け取るために、穴部内に吸収性の芯を提供しようという他の試みが成されてきた。この穴部は、扁円形であるとよく、従って、第１のトップシート内の穴部より長く、かつ狭い。もしくは、ひし形でも可能である。芯内の穴部は、縁周辺に弾性のある複数のストリップを備える第１のトップシートの穴部の下に配置されることができる。
【００１４】
また、先行技術の使い捨て吸収体のこの形式の改善点には、複数のスぺーサーの追加も含まれる。複数のスぺーサーは、糞便物を受け取る為の空間の存在を確保する為に、第１のトップシートと芯との間に位置されることができる。
【００１５】
これまでのところ、この分野のこの形式において、使い捨て吸収体の特定部分に糞便物の移動を制限する為の仕切りを提供しようという他の試みが成されてきた。この仕切りは、糞便物が装着者の肌に接触するのが、仕切りのない使い捨て吸収体と比較して少なくなるように制限する。
【００１６】
さらに、この分野においては、トップシートの平面から直立した仕切りレッグカフスを提供しようという他の試みが成されてきた。この仕切りレッグカフスは、糞便物により使い捨て吸収体の周囲が破損されるのを防ぐ。
【００１７】
糞便物を処理するそのような試みの例としては、１９９０年１月９日にＤｅｓｍａｒａｉｓに特許された米国特許Ｎｏ４、８９２、５３６と、１９９０年３月２０日にＡｚｉｚに特許された米国特許Ｎｏ４，９０９，８０３と、１９９０年１１月６日にＫｈａｎに特許された米国特許Ｎｏ４，９６８，３１２と、同一譲受人による、１９９１年２月５日にＦｒｅｅｌａｎｄに特許された米国特許Ｎｏ４、９９０，１４７と、同一譲受人による、１９９１年８月６日にＡｌｌｅｎに特許された米国特許Ｎｏ５，０３７，４１６と、１９９１年１１月５日にＨｏｌｔに特許された米国特許Ｎｏ５，０６２，８４０と、同一譲受人による、１９９２年１２月１５日にＤｒｅｉｅｒに特許された米国特許Ｎｏ５，１７１，２３６と、１９９０年２月２８日にＥｎｌｏｅにより公開された欧州特許出願Ｎｏ０，３５５，７４０  Ａ２とを、含んでいる。
【００１８】
しかしながら、糞便物を処理しようとするこれらの試みのいずれも、特に母乳を与えられているような比較的小さな子供に一般的な低粘度の糞便物の問題を解決することはできていない。低粘度の糞便物は、引力と装着者の動きもしくは圧力の影響下で、使い捨て吸収体内を容易に移動する。
【００１９】
糞便物の移動は、使い捨て吸収体の周囲に向かうことが多々あり、漏れの可能性を増加させる。また、糞便物の移動は装着者の肌を汚すので、清潔にするのが比較的困難になる。装着者を清潔にするために、世話をする人は糞便物と接した肌の全領域を拭わなくてはならず、代表的には、比較的大きく、汚れた領域を処理しなくてはならない。
【００２０】
この分野の、低粘度の糞便物を処理しようとする試みの一つは、１９９３年６月１１日にＲｏｅの名前で出願された特許出願Ｎｏ０８／０７６，７１３に見ることができる。この出願は、トップシートを通しての浸透力が高い第１のトップシートが、トップシートを通しての浸透力が比較的低い第２のトップシートにかぶさる使い捨て吸収体に関する。
【００２１】
従って、本発明の目的は、使い捨て吸収体から糞便物の漏れを減少させると共に、使い捨て吸収体が取り外された後に装着者の肌に残存する低粘度の糞便物の量を最小にする、使い捨て吸収体を提供することである。更に、本発明の目的は、複数の層に糞便物を分散させる使い捨て吸収体を提供することである。
【００２２】
【課題を解決するための手段】
本発明は、使い捨て吸収体に関する。この使い捨て吸収体は、バックシートとバックシートに直接にもしくは間接的に結合される糞便管理部材とを有する。糞便管理部材は、支持部と複数の繊維で形成されたシートとを有する。複数の繊維で形成されたシートは、前記支持部の結合位置に最後部を備え、複数の結合位置の間で支持部から突出したシートの弓状部分を有している。この弓状部分は、表面コーティング剤を有する。
【００２３】
【発明の実施の形態】
明細書は、本発明を果たすような主題を区別して請求し、特に指摘する請求の範囲で終結しているが、本発明は、実質的に同じ部材には同じ符号を付した添付図面を参照した以下の説明からより理解できるであろうと信じられる。
【００２４】
本発明の糞便管理部材の弓状部分は、表面コーティング剤を有する。本明細書で使用される“表面コーティング剤(surface  coating  agent)”という用語は、複数繊維で形成されたシートの弓状部分の少なくとも一部分を覆う何らかの材料即ち合成物についてである。
【００２５】
好ましくは、本発明の表面コーティング剤はシリコーンを含む合成物又は／並びに油分を含む合成物である。他の適する表面コーティング剤は、フルオロポリマー(例えばポリテトラフルオロエチレン(ＰＴＦＥ)など、ＴＥＦＬＯＮという商標名で市販されている)、クロロフルオロポリマーなどの弗化材料を含むが、それらに限定されない。本発明の表面コーティング剤として適していると証明し得る他の材料としては、ラテックスと、パラフィンと、その他同種類のものが含まれる。
【００２６】
本発明に適し、シリコーンを含む合成物は、Ｓｙｌ-Ｏｆｆ７０４８として入手され得る架橋剤が好ましくは１００部に対して１０部の割合で付加された、Ｓｙｌ-Ｏｆｆ７６７７の名称で、ＵＳＡ、ＭｉｃｈｉｇａｎのＭｉｄｌａｎｄのＤｏｗＣｏｒｎｉｎｇ社から入手可能なシリコーン剥離コーティング材である。他の適するシリコーンを含む合成物は、ＵＳＡ、Ｎｅｗ  ＹｏｒｋのＷａｔｅｒｆｏｒｄのＧｅｎｅｒａｌ  Ｅｌｅｃｔｒｉｃ  ＣｏｍｐａｎｙのＳｉｌｌｃｏｎｅ  ｐｒｏｄｕｃｔｓ  Ｄｉｖｉｓｉｏｎから、ＵＶ９３００と、ＵＶ９３８０Ｃ−Ｄ１の名称で入手可能な、２種類のシリコーンが好ましくはそれぞれに１００部に対して２，５部の重量比で混合された混合物を有するＵＶ硬化性シリコーンである。
本発明の使い捨て吸収体の一実施形態において、弓状部分は、通常の接触と、装着者の動きと、又は／並びに体熱が予想される使用の間、装着者の肌に少なくとも部分的には移動可能な油分を含む合成物を有している。好ましくは、このような油分を含む合成物は、糞便管理部材の弓状部分の使用者に面する表面に位置付けられる。また、油分を含む合成物は、マイクロカプセルに入れられるよう意図された使用のときのみ解放されるように配置される。
【００２７】
好ましくは、本発明に適する油分を含む合成物は、室温において、使い捨て吸収体内の配置を考慮して、比較的固定化かつ局部集中化され、並びに非常に厳しい保存条件下でも完全に液状にはならないような溶融特性を有する。
【００２８】
本発明に適する油分を含む合成物は、２０℃、即ち室温では、固形状で、もしくはより多くの場合は半固形状である。“半固形(semisolid)”という用語は、油分を含む合成物が、擬塑性流体もしくは塑性流体に典型的なレオロジーを有することを意味している。せん断力が付与されない場合、油分を含む合成物は半固形状の外観を有することができるが、せん断力が上昇するにつれて流体化され得る。これは、油分を含む合成物は主として複数の固形状材料で形成されているが、また、より少ない量のいくらかの液状材料をも含むためである。
【００２９】
本発明に適する油分を含む合成物は、室温では少なくとも半固形状で、油分を含む合成物の移動を最小限にする。更に、油分を含む合成物は、４５℃以上になり得るような潜在的にストレスの多い保管状態以上の、最終溶融点(１００％液状)を有するのが好ましい。
【００３０】
特に、本発明に適する油分を含む合成物は、以下の溶融特性を持たなくてはならない。
【００３１】
0004425468.tif 000002
室温で固形状若しくは半固形状であることから、油分を含む合成物は、これらが適用される使い捨て吸収体の内部に流れ、移動する傾向を有さない。これは、油分を含む合成物が、比較的少ない量で、好ましい治癒的もしくは保護的なコーティングの利点を与えるように求められることを意味する。
【００３２】
本発明の糞便管理部材の使用者に面する表面に装着されるとき、本発明に適する油分を含む合成物は、通常の接触と、装着者の動きと、または／並びに体熱によって装着者の肌に移動可能であるのが好ましい。
【００３３】
本発明の使い捨て吸収体の好ましい実施例では、油分を含む合成物の効果的な量が含まれている。本明細書で使用される、“油分を含む合成物の効果的な量(effective  amount  of  an  oil‐containing  composition  coating)”という用語は、油分を含む合成物が本発明の糞便管理部材に適用されるとき、これらの保護的かつ治癒的な、即ち表面上の強度を満たすのに効力を有する、特に油分を含む合成物の量についてである。言うまでもなく、油分を含む合成物の塗料の効果的な量は、大体において、使用される、特に油分を含む合成物によって異なる。
【００３４】
本発明に適する油分を含む合成物は、(１)１種類又は複数の柔軟剤と、(２)柔軟剤のための１種類又は複数の固定作用剤と、(３)任意の親水性界面活性剤と、並びに（４）他の任意構成材料とを有する。
【００３５】
柔軟剤、固定作用剤、任意の構成材料を含む、組織化され、油分を含む合成物の粘度は、油分を含む合成物が使い捨て吸収体の内部に流れない状態で維持する為に、できるだけ高くなくてはならない。また、残念なことに、油分を含む合成物が高粘度になると、処理手続きなしに適用するのが難しくなる。従って、粘度が、使い捨て吸収体の使用者側の面に局部集中させた状態で油分を含む合成物を維持できるように充分に高いが、処理上の問題を生じさせる程高くならないように、バランスを取る必要がある。油分を含む合成物に適する粘度は、６０℃で測定して、代表的には、約５センチポイズから約２００センチポイズの範囲であり、約１５センチポイズから約１００センチポイズであると好ましい。
【００３６】
これらの油分を含む合成物の、鍵となる有効成分は、１種類もしくはそれ以上の柔軟剤である。本明細書で使用される柔軟剤とは、（おむつの表面を）柔らかくし、和らげ、柔軟にし、この表面を覆い、滑らかにし、潤いを与え、肌を清潔にする材料である。柔軟剤は、代表的には、和らげ、潤いを与え、皮膚を滑らかにするなどの様々な目的を果たしている。本発明の使い捨て吸収体に使用されるのに適するためには、例えば室温である２０℃では、これらの柔軟剤は塑性若しくは液状でコンシステンシーを保つ。この柔軟剤特有のコンシステンシーにより、油分を含む合成物が、柔らかで、滑らかで、ローションのような感触を与えることが可能になる。
【００３７】
本発明の使い捨て吸収体に効果のある柔軟剤は、石油を原料にした脂肪酸エステル型、アルキルエトキシド型、脂肪酸エステルエトキシド型、脂肪アルコール型、ポリシロキサン型、若しくはこれらの柔軟剤の混合物がよい。適する、石油を原料にした柔軟剤には、１６から３２の炭素原子からなる鎖長を有する炭化水素若しくは炭化水素の混合物が含まれる。石油を原料にし、これらの鎖長を有する炭化水素には、鉱油（“液状ペトロラタム”として公知である）とペトロラタム（“ミネラルワックス”“ワセリン”“ミネラルゼリー”として公知である）が含まれる。通常は、鉱油とは、１６から２０の炭素原子を有する炭化水素の比較的低粘度の混合物についてである。通常は、ペトロラタムとは、１６から３２の炭素原子を有する炭化水素の比較的高粘度の混合物についていう。特に、ペトロラタムと鉱油とは、本発明の油分を含む合成物の柔軟剤として好ましい。
【００３８】
固定作用剤は、油分を含む合成物が適用される使い捨て吸収体の表面に主として柔軟剤を局部集中させておくことにより、本発明の使い捨て吸収体の中に移動し、流れてしまいがちな柔軟剤の傾向を中和する。
【００３９】
本発明の使い捨て吸収体での使用に適する固定作用剤は、Ｃ１４−Ｃ２２の脂肪アルコールと、Ｃ１２からＣ２２の脂肪酸と、２から約３０を範囲としたエトキシル化の度合いでエトキシル化されたＣ１２からＣ２２の脂肪アルコールと、これらの混合物とにより成るグループから選択される構成要素を有する。好ましい固定作用剤は、最も好ましくはセチルアルコールとステアリルアルコールとこれらの混合物とにより成るグループから選択された、Ｃ１６からＣ１８の脂肪アルコールを含む。セチルアルコールとステアリルアルコールとの混合物は特に好ましい。他の好ましい固定作用剤としては、最も好ましくはパルミチン酸とステアリン酸とこれらの混合物より成るグループから選択された、Ｃ１６からＣ１８の脂肪酸が含まれる。パルミチン酸とステアリン酸との混合物は、特に好ましい。なお、他の好ましい固定作用剤としては、約５から約２０を範囲としたエトキシル化の度合いでエトキシル化された、Ｃ１６からＣ１８の脂肪アルコールが含まれる。脂肪アルコールと、並びに脂肪酸と脂肪アルコールとは、線形になっているのが好ましい。
【００４０】
また、油分を含む合成物は、使い捨て吸収体の少なくとも１種類の第１の成分の中への液体の急速浸透を確実にするために、充分に可溶性であるのが重要である。これにより、身体からの滲出物が、少なくとも１種類の第１の成分内に引き込まれるのではなく、油分を含む合成物の塗料を流してしまう可能性が減少される。本発明の油分を含む合成物に使用される特別な固定作用剤に影響を受ける為、添加親水性界面活性剤（即ち親水性界面活性剤の混合物）は、可溶性を高める必要があるときと、ないときとがある。
【００４１】
油分を含む合成物は、代表的には、柔軟剤、クリーム、この型の油分を含む合成物内に存在する他の任意の成分を有し得る。これら任意の成分には、水、粘性重合調整剤、香料、消毒抗菌活性剤、調合活性剤、フィルムフォーマ、脱臭剤、乳白剤、アストリンゼン、溶剤などが含まれる。加えて、安定剤が、セルロース派生物、プロテイン、レシチンなどの油分を含む合成物の保持寿命を延ばすために、追加されることが可能である。これらの材料全てが、定式化された付加物として、当業界で公知であり、本発明の油分を含む合成物内に、適切な量で使用されることができる。
【００４２】
本明細書で使用される、“吸収体（absorbent  article）”という用語は、身体の滲出物を吸収し、包含する装置についてであり、特には、身体から排出される多様な滲出物を吸収し、包含するために、装着者の身体に抗して、即ち近接して配置される装置についてである。本明細書で使用される“使い捨て（disposable）”という用語は、洗濯されない、即ち再保存若しくは再使用されない吸収体に対して記載してある。（例えば、これらは、１回の使用の後に捨てられ、好ましくは、リサイクル、肥料化、若しくは環境に受け入れられる方法で破棄される）。（本明細書で使用される“配置される(disposed)”という用語は、１又は複数のおむつの部材が、それぞれの場所即ち位置に、他のおむつ部材と共に一体的に、即ち他のおむつ部材と結合された個々の部材として、配置されることを指して使用されている。本明細書で使用される“結合される(joined)”という用語は、部材を他部材に直接的に貼り付けることで部材が他部材に直接的に固定されているような形状と、並びに中間材を介して部材を他部材に貼り付けることで部材が他部材に間接的に固定されるような形状とを包含する。）“単一の（unitary）”吸収体とは、共同作用できる構成要素を形作るために、分かれた部品が相互結合されて、形成された複数の吸収体のことであり、従って、この単一の吸収体には個々のホルダー、リニアのような個々の操作部品は必要でない。
【００４３】
本発明の使い捨て吸収体は、バックシートと糞便管理部材とを有する。更に、本発明の使い捨て吸収体は、糞便管理部材とバックシートとの中間に吸収性の芯を有するのが好ましい。
【００４４】
本発明の一実施形態において、更に、使い捨て吸収体は、バックシートに結合されるトップシートを有している。トップシートは、糞便管理部材の少なくとも一部分を覆うのがよく、この糞便管理部材の一部分はトップシートとバックシートとの中間に配置されている。また、このトップシートは、糞便管理部材の全体を覆うこともできる。本発明の使い捨て吸収体は、糞便管理部材とバックシートとの間に配置される吸収性の芯を有するのが好ましい。
【００４５】
本発明の吸収体の好ましい実施例は、図１に示された、単一の使い捨て吸収体とおむつ２０である。本明細書で使用される“おむつ（Diaper）”という用語は、一般に乳児と失禁者が胴の低い部分に着用する吸収体についてである。また、本発明は、失禁者用ブリーフ、失禁者用下着、吸収剤、おむつホルダー、ライナー、婦人用衛生衣類などの他の吸収体にも応用できる。
【００４６】
図１は、おむつ２０の構成をより明らかにする為に、切断された一部分を露出した状態の、本発明のおむつ２０の平面図である。おむつ２０の装着者に面する部分が、観察者の方に向いている。図１に示されるように、おむつ２０は、好ましくは液体透過性トップシート２４と、液体不透過性バックシート２６と、好ましくはトップシート２４の少なくとも一部分とバックシート２６との間に位置される吸収性の芯２８と、トップシート２４と吸収性の芯２８との間に位置された糞便管理部材２９と、サイドパネル３０と、弾性的レッグカフス３２と、弾性的ウエスト体３４と、並びに本文中では符号４０で示された固定システムとを有する。おむつ２０は、前ウエスト部３６、この前ウエスト部に向かい合う後ウエスト部３８、前ウエスト部３６と後ウエスト部３８との間に位置する股部３７を有して、図１では示されている。おむつ２０の周囲は、おむつ２０の外側にある複数のエッジによって規定されており、複数の長手方向エッジ５０はおむつ２０の縦の中心線１００に対し全体を通して平行に走っており、複数の端部エッジ５２は複数の長手方向エッジ５０の間でおむつ２０の横の中心線１１０に対し平行に走っている。
おむつ２０のシャーシ２２は、おむつ２０の本体を有している。シャーシ２２は、吸収性の芯２８の少なくとも一部分と、好ましくは、トップシート２４とバックシート２６とを含む外側カバー層とを有する。吸収体が分離されたホルダーとライナーとを有する場合、シャ―シ２２は全体を通してホルダーとライナーとを有する。（例えば、弓状の外側カバーを形成する為に、ホルダーは材料による１層もしくはそれ以上の層で形成されることができる。ライナーは、トップシート、バックシート、吸収性の芯を含む吸収性の集合体を有することができる。このような場合、ホルダー並びに／又はライナーは、使用中ずっとライナーを所定の位置に保持しておくのに使用される固定システムを有することができる。）単一の吸収体にとって、シャーシ２２は、複合的なおむつ構造を形成するように他の特徴が付加されたおむつ本体を有する。トップシート２４、バックシート２６、シャーシ２２は、様々な公知の構成で、組立てることができ、好ましいおむつ構成は、１９７５年１月１４日にＫｅｎｎｅｔｈ  Ｂ  Ｂｕｅｌｌに特許され、“Contractive  Side  Portions  for  Disposal  Diaper”と題された米国特許Ｎｏ３、８６０、００３、並びに１９９２年９月９日にＢｕｅｌｌに特許された米国特許Ｎｏ５，１５１，０９２、並びに１９９３年６月２２日にＢｕｅｌｌに特許された米国特許Ｎｏ５，２２１，２７４に、一般に記載されている。他の適するおむつシャーシのデザインは１９９６年１０月２９日にＲｏｅに特許され、“Absorbent Article With Multiple Zone Structural Elastic-Like Film Web Extensive Waist Feature”と題された米国特許Ｎｏ５，５６９，２３２、１９９６年９月１０日にＲｏｅに特許され、“Absorbent Article With Multiple Zone Structural Elastic-Like Film Web Extensive Wwaist Feature”と題された米国特許Ｎｏ５，５５４，１４４、１９９６年９月１０日にＲｏｅに特許され、“Absorbent Article With Multiple Zone Structural Elastic-Like Film Web Extensive Waist Feature”と題された米国特許Ｎｏ５、５５４，１４３、１９９６年９月１０日にＲｏｅに特許され、“Absorbent Article Wwith Multiple Zone Structural Elastic-Like Film Web Extensive Waist Feature”と題された米国特許Ｎｏ５、５５４，１４５、１９９６年９月１７日にＲｏｅに特許され、“Absorbent Article With Multiple Zone Structural Elastic-Like Film Web Extensive Waist Feature”と題された米国特許Ｎｏ５，５５６，３９４に開示されている。これらは夫々に参照して本明細書に組み込まれる。
【００４７】
一般に、バックシート２６は、吸収性の芯２８の衣類側の面４５に隣接して配置されたおむつ２０の一部分のことで、吸収され、保持される排出物により、ベッドシート、下着などのおむつ２０が接する物品が汚されるのを防ぐ。好ましい実施形態において、バックシート２６は、液体（尿など）不透過性で、例えば約０，０１２ｍｍ（０，５ｍｉｌ）から約０，０５１ｍｍ（２，０ｍｉｌｓ）の厚さの熱可塑性のフィルムなどの薄いプラスティックフィルムで形成される。好ましいバックシートのフィルムは、Ｔｅｒｒｅ  Ｈａｕｔｅ  ＩＮのＴｒｅｄｅｇａｒ  Ｉｎｄｕｓｔｒｉｅｓ  Ｉｎｃにより製造されて、“Ｘ１５３０６”、“Ｘ１０９６２”、“Ｘ１０９６４”の商標名で入手可能な物を含む。他のバックシートに適する材料は、滲出物がバックシート２６を通り抜けて漏れるのを防ぐ為に、蒸気がおむつ２０から逃げるのを可能にする通気性材料を含み得る。通気性材料の例としては、織物ウェブ、不織物ウェブ、フィルムコート不織物ウェブのような合成材、日本のＭｉｔｓｕｉ  Ｔｏａｔｓｕ  Ｃｏにより製造されて、“ＥＳＰＯＩＲ  ＮＯ”の名称を持つ微孔性フィルム、Ｂａｙ  ＣｉｔｙＴＸのＥＸＸＯＮ  Ｃｈｅｍｉｃａｌ  Ｃｏにより製造され、“ＥＸＸＡＩＲＥ”の名称を持つ微孔性フィルムなどの材料を含むことができる。適する、ポリマー混合物を含む通気性合成材は、ＯＨのＣｉｎｃｉｎｎａｔｉのＣｌｏｐａｙ  Ｃｏｒｐｏｒａｔｉｏｎにより“ＨＹＴＲＥＬ  ｂｌｅｎｄ  Ｐ１８−３０９７”の名称で入手可能である。このような通気性合成材は、１９９５年６月２２日に“Ｅ．Ｉ  ＤｕＰｏｎｔ”の名称で公開されたＰＣＴ出願ＮｏＷＯ９５／１６７４６と、１９９６年１１月６日にＣｕｒｒｏの名前で出願された米国特許出願Ｎｏ０８／７４４，４８７とに詳細が記述されている。通気性があり、不織物ウェブと穴空き形成されたフィルムとを含む他のバックシートは、１９９６年１１月５日にＤｏｂｒｉｎに特許された米国特許Ｎｏ５，５７１，０９６で説明されている。これらは参照して本明細書に組み入れられる。
【００４８】
バックシート２６、もしくはこの一部分は、１方向若しくはそれ以上の方向に弾性的に伸ばすことができる。１実施形態において、バックシート２６は構造的に弾性になったフィルム（“ＳＥＬＦ”）ウェブを有するのが良い。ＳＥＬＦウェブは、近接し、明確に識別され、異なった、少なくとも２つの領域を備え、かつピンと張り得るネットワークを有する。これらの領域は、もう一方の領域の要部が、適用された伸びに対し大きな影響のある抵抗力を発達させる前に、所定の軸に平行な方向で、適用された軸方向の伸びに応じて抵抗力を示すように構成されるのが好ましい。この領域のうち少なくとも１方は、この材料が張っていない状態にあるときに、所定の軸に対しほぼ平行に測定すると、もう一方の領域の表面パス長よりも長い表面パス長を有する。比較的長い表面パス長を示している領域は、１つもしくはそれ以上の、もう一方の領域の表面を超えて伸びるような変形を含む。ＳＥＬＦウェブは、所定の軸に対し平行な方向に適用された伸びが仮定されるときに、少なくとも１つの所定の軸に沿った伸びに対し、制御された抵抗力のうち少なくとも２つのはっきり異なった状態を示している。ＳＥＬＦウェブは、このウェブの伸びが、比較的長い表面長を有する領域の要部を適用された伸びの面に入れることができるほど充分になるまで、適用された伸びに対する第１の抵抗力を示している。この結果、ＳＥＬＦウェブは、更なる伸びに対し第２の抵抗力を示す。伸びに対する総抵抗力は、第１の領域によりもたらされる伸びに対する第１の抵抗力よりも強い。本発明に適するＳＥＬＦウェブは、１９９６年５月２１日にＣｈａｐｐｅｌｌに特許され,“Web Materials Exhibiting  Elastic-Like  Behavior”と題された米国特許Ｎｏ５，５１８，８０１に詳述されており、本明細書に参照して組み入れられる。代わりの実施形態においては、バックシート２６は、弾性フィルム、発泡体、ストランド、もしくはこれらの混合物、もしくは不織物即ち合成繊維を含む他の適する材料で形成され得る。
【００４９】
バックシート２６は、当業界で公知の結合手段によって、トップシート２４、吸収性の芯２８、糞便管理部材２９、もしくはおむつ２０の他部材に結合されることができる。例えば、結合手段としては、均一に連続した粘着層、型押し粘着層、もしくは粘着性の複数の分離線並びに螺旋の配列、若しくは点を含むことができる。１つの好ましい結合手段には、“Disposable Waste-Containment Garment”と題され、１９８６年３月４日にＭｉｎｅｒｏｔａに特許された米国特許Ｎｏ４，５７３，９８６にて開示されている、粘着性フィラメントの開いた型押しネットワークが含まれる。他の適する結合手段には、１９７５年１０月７日にＳｐｒａｇｕｅ  Ｊｒに特許された米国特許Ｎｏ３，９１１，１７３、１９７８年１１月２２日Ｚｉｃｋｅｒに特許された米国特許Ｎｏ４，７８５，９９６、１９８９年６月２７日にＷｅｒｅｎｉｃｚに特許された米国特許Ｎｏ４，８４２，６６６で示された装置と方法とによって説明されているように、螺旋型の中に向かって渦を巻いている粘着性フィラメントの複数網が含まれる。これらの特許は参照して本明細書に組み入れられる。申し分ないと考えられてきた接着剤は、ＭｉｎｎｅｓｏｔａのＳｔ．ＰａｕｌにあるＨ．Ｂ  Ｆｕｌｌｅｒ  Ｃｏｍｐａｎｙにより製造されており、“ＨＬ−１２５８”として入手可能である。あるいは、結合手段は、当業界で公知の、熱結合、圧迫結合、超音波結合、動的機械結合、もしくは他の適する結合手段もしくはこうした結合手段の組み合わせを有することができる。
【００５０】
トップシート２４は、吸収性の芯２８の身体面４７に隣接して配置され、この分野で公知の結合手段によって、身体面４７に、または／並びにバックシート２６に結合されるのが好ましい。適する結合手段は、バックシート２６をおむつ２０の他部材に結合するための方法に関して、上述されている。本発明の好ましい一実施形態において、トップシート２４とバックシート２６とは、所定の位置で直接的に相互結合されており、並びに、他の複数の位置では、おむつ２０の他部材に両シートを直接的に結合させることによって、間接的に相互結合されている。
【００５１】
トップシート２４は、装着者に適合し、軟らかな感触で、並びに装着者の肌に刺激的でないのが好ましい。さらに、トップシート２４の少なくとも一部分は、液体透過性で、液体が容易にこの厚みに浸透するのを可能にしている。適するトップシート２４は、多孔性発泡体、網状発泡体、開口プラスチックフィルム、もしくは自然繊維（例えば木質繊維もしくは綿繊維）、合成繊維（例えばポリエステル繊維もしくはポリプロピレン繊維）の織物もしくは不織物ウェブ、もしくは自然繊維と合成繊維の組み合わせなどの、広範囲の材料から製造されるのが良い。吸収体が複数の繊維を含む場合、複数の繊維は糸紡ぎ結合され、けば立てられ、湿式堆積され、溶融ブロー成形され、水素網化され、さもなければこの分野で公知の方法で処理されることができる。ポリプロピレン繊維の主要な長さのウェブを有する一つのトップシート２４は、ＭａｓｓａｃｈｕｓｅｔｔｓのＷａｌｐｏｌｅにあるＶｅｒａｔｅｃ  Ｉｎｃのａ  Ｄｉｖｉｓｉｏｎ  ｏｆ  Ｉｎｔｅｒｎａｔｉｏｎａｌ  Ｐａｐｅｒ  Ｃｏｍｐａｎｙから、“Ｐ−８”という名称で、入手可能である。
【００５２】
適する、形成されたフィルムの複数のトップシートは、１９７５年１２月３０日にＴｈｏｍｐｓｏｎに特許され、“Absorptive  Structure  Having  Tapered  Capillaries”と題された米国特許Ｎｏ３，９２９，１３５、１９８２年４月１３日にＭｕｌｌａｎｅに特許され、“Disposable  Abstact  Article  Having  A  Stain  Resistant  Topseat”と題された米国特許Ｎｏ４，３２４，２４６、１９８２年８月３日Ｒａｄｅｌに特許され、“Resilient  Plastic  Web  Exhibiting  Fiber−Like  Properties”と題された米国特許Ｎｏ４，３４２，３１４、１９８４年７月３１日にＡｈｒに特許され、“Macroscopically  Expanded  Three−Dimesional  Plastc  Web  Exhibiting  Nongrossy  Visible  Surface  and  Cloth−Like  Tactile  Impression”と題された米国特許Ｎｏ４，４６３，０４５、１９９１年４月９日にＢａｉｒｄに特許され、“Mulilayer  Polymeric  Film”と題された米国特許Ｎｏ５，００６，３９４で、説明されている。他の適するトップシート３０は、１９８６年９月２日にＣｕｒｒｏに特許された米国特許Ｎｏ４，６０９，５１８、並びに１９８６年１２月１６日にＣｕｒｒｏに特許された米国特許Ｎｏ４，６２９，６４３とにそれぞれ従って作られており、これらは共に参照して本明細書に組み入れられる。このように形成されるフィルムは、ＯＨのＣｉｎｃｉｎｎａｔｉにあるＰｒｏｃｔｅｒ  ＆  Ｇａｍｂｌｅ  Ｃｏｍｐａｎｙから“ＤＲＩ−ＷＥＡＶＥ”として、並びにＩｎｄｉａｎａ州のＴｅｒｒｅ  ＨａｕｔｅのＴｒｅｄｅｇａｒ  Ｃｏｒｐｏｒａｔｉｏｎから“ＣＬＩＦＦ−Ｔ”として、入手可能である。
【００５３】
トップシート２４は、吸収性の芯２８内に保持される液体に装着者の肌が触れないようするために、疎水性の材料から作られるか、もしくは疎水性になるように処理されるのが好ましい。トップシート２４が疎水性の材料により作られる場合、このトップシート２４の少なくとも上面は疎水性になるように処理されるのが好ましく、そうすると、液体はトップシートを通って比較的急速に運搬されることができる。このことにより、身体からの滲出物が第１のトップシート２４を通って引き込まれ、吸収性の芯２８に吸収されずに、トップシート２４から流れ出てしまうという可能性が減少される。トップシート２４は、これを界面活性剤で処理するか、この内部に界面活性剤を組み入れることにより、親水性にされる。界面活性剤でトップシート２４を処理するのに適する方法には、トップシート２４の材料に界面活性剤をスプレーすることと、並びにこの材料を界面活性剤の中に浸けることとが含まれる。このような処理と親水性についての比較的詳しい検討が、１９９１年１月２９日にＲｅｉｓｉｎｇに特許され、“Absorbent  Articles  with  Multiple  Layer  Absorbent  Layers”と題された米国特許Ｎｏ４，９８８，３４４、１９９１年１月２９日にＲｅｉｓｉｎｇに特許され、“Absorbent  Articles  with  Rapid  Acquiring  Absorbent  Cores”と題された米国特許Ｎｏ４，９８８，３４５に含まれている。トップシート内部で界面活性剤を結合させるのに適するいくらかの方法の比較的詳しい検討は、１９９７年７月１日にＡｚｉｚの名前により公開された法定発明登録ＮｏＨ１６７０で見ることができる。これらは参照して本明細書に組み入れられる。
【００５４】
本発明の他の実施形態において、トップシート２４は糞便管理部材２９を有する。この場合、糞便管理部材は、トップシートの全長を超えて伸びるか、もしくはトップシートの中でも後ウエスト部のような一部分のみを超えて伸びることができる。
【００５５】
トップシート２４のどの部分も、この分野で公知のローションを使用して表面を覆うことができる。適するローションの例としては、１９９７年３月４日にＲｏｅに特許され、“Disposable  Absorbent  Article  Having  A  Lotioned  Topsheat  Containing  an  Emollient  and  a  Polyol  Polyster  Immobilizing  Agent”と題された米国特許Ｎｏ５，６０７，７６０、１９９７年３月１１日にＲｏｅに特許され、“Diaper  Having Lotioned  Topsheat  Containing  A  Liquid  Polyol  Polyster  Emollient  And  Immolizing  Agent”と題された米国特許Ｎｏ５，６０９，５８７、１９９７年６月３日にＲｏｅに特許され、“Diaper  Having Lotioned  Topsheat  Containing  A  Polysilozane  Agent”と題された米国特許Ｎｏ５，６３５，１９１、１９９７年７月１日にＲｏｅに特許され、“Diaper  Having A  Lotioned  Topsheat”と題された米国特許Ｎｏ５，６４３，５８８に説明されたものを含む。また、トップシートは、抗菌剤を含み、即ちこれを伴って処理されることができ、この例は、１９９５年９月１４日にＪｏｈｎｓｏｎの名前により公開され、“Absorbent  Articles  Containing  Antibacterial  Agents  in the  Topsheet  For  Odor  Control”と題されたＰＣＴ出願ＮｏＷＯ９５／２４１７３で開示されている。更に、トップシート２４、バックシート２６、又は、トップシートもしくはバックシートのいずれかの一部分は、布地に見えるような外観を提供する為に、エンボス加工され、並びに／または、艶消し仕上げされ得る。
【００５６】
吸収性の芯２８は、一般に圧縮可能で、快適で、装着者の肌に刺激のない、何らかの吸収性材料で形成され、尿のような液体並びに他の身体からの滲出物の吸収及び保持能力を有することができる。吸収性の芯２８は、広範囲の大きさと形状とに製造されることができ(例えば、長方形、砂時計型、“Ｔ”形、非対称形など)、使い捨ておむつと、一般にエアフェルトと呼ばれる木材パルプのような他の吸収体とに通常使用される、広範囲な液体吸収性材料で形成されることができる。他の適する吸収性材料の例としては、クレープセルロースの詰め物、コフォームで形成され、溶融ブロー成形されたポリマー、化学作用で硬化させ、修正もしくは交差結合されたセルロース繊維、ティッシュラップとティッシュ積層品を有するティッシュペーパー、吸収性スポンジ、超吸収性ポリマー、吸収性ゲル材、もしくはその他の公知の吸収材もしくはこれらの組み合わせが含まれる。
【００５７】
また、吸収性の芯２８の構成と構造とは、様々である。（例えば、１もしくは複数の吸収性の芯と、または、１もしくは複数の他の吸収構造体は、様々なキャリパー領域、親水性勾配、超吸収性勾配、もしくは低い平均密度と低い平均坪量の取得領域、即ち１層もしくはそれ以上の層もしくは構造体を有することができる。）しかしながら、吸収性の芯２８の総吸収量は、おむつ２０の意図された使用と設計荷重とに耐えられなくてはならない。
【００５８】
吸収性アセンブリとして使用される吸収性構造体の例は、１９８７年６月１６日にＷｅｉｓｍａｎに特許され、“Absorbent  Articles  With  Dual−Layered  Cores”と題された米国特許Ｎｏ４，６１０，６７８、１９８９年５月３０日にＡｌｅｍａｎｙに特許され、“High  Density  Absorbent  Members Having Lower Density and Lower Basis Weight Acquisition Zones”と題された米国特許Ｎｏ４，８３４，７３５、１９８９年１２月１９日にＡｎｇｓｔａｄｔに特許され、”Absorbent Core Having A Dusting Layers”と題された米国特許Ｎｏ４，８８８，２３１、１９９２年８月１１日にＨｅｒｒｏｎに特許され、“Absorbent Structure Containing Indivisualized ,Polycarblxylic Acid Crosslinked Wood Pulp Cellurouse Fibers”と題された米国特許Ｎｏ５，１３７，５３７、１９９２年９月１５日にＹｏｕｎｇに特許され、“High Efficiency Absorbent Articles For Incontinence Management”と題された米国特許Ｎｏ５，１４７，３４５、１９９４年８月３０日にＲｏｅに特許され、“Disposable Absorbent Article For Low-viscosity Fecal Material”と題された米国特許Ｎｏ５，３４２，３３８に、説明されている。上記特許は参照して本明細書に組みこまれる。
【００５９】
図２は、本文全体を通して参照符号２９で示され、本発明に係わる糞便管理部材の第１の実施形態を示している。一般に、糞便管理部材２９は、好ましくは熱可塑性で、前と後ろに主要面１２３、１２４を有する支持層１２２(例えばポリプロピレンでできている)を備えた支持部１２０を有するループ材のシート１１８のことであり、間隔を開けて伸び、全体を通して平行な結合位置１２８で支持層１２２にはめ込み結合され、全体を通して変形しないアンカー部分１２７を有する、複数の繊維で特に形成されたシート１２６内の、長手方向を向いた複合的な繊維により形成されている。前記結合位置１２８は、前面部１２３に沿った１方向に連続的に連なり、複数の繊維で形成されたシート１２６内に弓状部分１３０を伴っており、この複数の繊維で形成されたシート１２６内の弓状部分１３０は、支持層１２２の前面部１２３から、連続した列を形成してループ材のシート１１８を横切って横方向に伸びている結合位置１２８の間に、突出している。複数の繊維１２６で形成されたシート内の弓状部分１３０は、表面コーティング剤１３２を有し、支持層１２２からの高さが全体を通して均一で、これは約０,５ミリメーターより大きく、より好ましくは約１、０ミリメーターより大きく、複数の繊維で形成されたシート１２６の高さは、結合位置１２８の間の距離の少なくとも３分の１、好ましくは２分の１から１倍もしくは１と２分の１倍はあり、複数の繊維で形成されたシート１２６内の個々の繊維は、大きさは２５デニール未満(好ましくは１デニールから１０デニールの範囲)であり、支持部１２０を備えていない複数の繊維で形成されたシート１２６は、第１の面１２３に沿って測定すると、５ｇから３００ｇ／平方ｍ(好ましくは１５ｇから１００ｇ／平方ｍの範囲)の坪量を有する。これは、複数の繊維で形成されたシート１２６内の繊維の間に、弓状部分１３０に沿って、糞便物が弓状部分１３０に沿った個々の繊維の内部に即浸透するための空地を設ける為（例えば、１０％から９０％の間の空地）である。
【００６０】
支持部１２０として使用するのに適する材料は、熱可塑性のフィルム、多孔性フィルム、穴の空いたフィルム、穴空き形成されたフィルム、穴を空けずに形成されたフィルム、不織物ウェブ、並びに、ミクロ細孔フィルム、穴の空いた不織物ウェブ、スクリムなどを、これに限定せず含んだ通気性フィルムのような通気性の材料、を含むが、これに限定されない。
【００６１】
本明細書で使われる“スクリム(scrim)”と言う用語は、繊維のネットワーク、即ち少なくとも２種類の平行な繊維で形成されるより糸即ち第１の方向に走っているより糸、並びに少なくとも２種類の平行な繊維即ち第２の方向に走っているより糸についてである。第１の方向に走っている複数の繊維もしくはより糸の少なくともいくつかは、第２の方向に走っている複数の繊維もしくはより糸の少なくともいくつかと、それぞれの交差点で、係合している。第１の方向と第２の方向との間の角度は、少なくとも３０℃で、好ましくは４５℃で、更に好ましくは６０℃で、最適なのは９０℃である。スクリムは、異なった形状と、構成と、ディメンションとを有する、複数の繊維もしくはより糸で形成されることができる。
【００６２】
支持部は、熱可塑性ポリマーで作られるのが好ましい。支持部１２０は、約０,００１２５ｃｍから０，０２５ｃｍの範囲の厚さを有し、比較的薄い層であるのが好ましい。
【００６３】
複数繊維で形成されたシート１２６内の繊維は、平行な結合位置１２８に対して様々な方向に配置され、弓状部分１３０の交差点で相互結合されるかもしくはされなくても良い。即ち、複数の繊維で形成されたシート１２６内の繊維の大多数（例えば、８０％から９０％以上）が、結合位置１２８に対してほぼ右角度方向に伸びている状態で、平行な結合位置１２８に対して様々な方向に配置されることができる。即ち、複数の繊維で形成されたシート１２６内の個々の繊維全てが、間隔を空け、全体を通して平行である結合位置１２８に対して、ほぼ右角度方向に伸びることができる。
【００６４】
複数の繊維で形成されたシート１２６の親水性は、支持部１２０の親水性より低いのが好ましい。好ましい実施形態において、複数の繊維で形成されたシートは、これ自身が親水性勾配を有しており、弓状部分１３０の親水性は、結合位置１２８の親水性より低い。この形状においてもなお、複数の繊維で形成されたシート１２６の結合位置１２８は、支持部１２０より低い親水性を有するのが好ましい。
【００６５】
好ましくは、糞便管理部材２９は、糞便物の即浸透を助ける糞便物管理部材２９の開放性を提供するために、最小限の範囲で、トップシート２４に固定されている。糞便管理部材２９は、糞便管理部材２９の開放性を維持し、かつトップシート２４を使い捨て吸収体内に付加的空間を作り出す糞便管理部材２９から引き離しておく為に、トップシート２４に全く固定されないのがより好ましい。しかしながら、糞便管理部材２９は、自由に動き回ったりしない様に、おむつ２０内に固定されなくてはならない。この端部まで、糞便管理部材２９は下にある吸収性の芯２８に直接固定されるのが好ましい。糞便管理部材２９は、この分野で公知の何らかの結合手段により吸収性の芯２８に結合されることができる。例えば、結合手段は、均一に連続した粘着層、型押し粘着層、粘着性で、分離した線、螺旋の配列、もしくは点を含むことができる。好ましい一結合手段は、粘着性フィラメントの開放型ネットワークを有する。これは、１９８６年３月４日にＭｉｎｅｔｏｌａに特許され,“Disposable Waste-Containment Garment”と題された米国特許Ｎｏ４，５７３，９８６に開示されている。他の適する結合手段は、螺旋形に旋回される粘着性フィラメントの線をいくつか含み、これは、１９７５年１０月７日にＳｐｒａｇｕｅ  Ｊｒに特許された米国特許Ｎｏ３，９１１，１７３、１９７８年１１月２２日Ｚｉｅｃｋｅｒに特許された米国特許Ｎｏ４，７８５,９９６、１９８９年６月２７日にＷｅｒｅｎｉｃｚに特許された米国特許Ｎｏ４，８４２，６６６で示された複数の装置と複数の方法によって説明されている。これらの特許はそれぞれに参照して本明細書に組み入れられる。これまで十分なものと考えられてきた粘着剤は、ＭｉｎｎｅｓｏｔａのＳｔＰａｕｌにあるＨ．Ｂ  Ｆｕｌｌａｒ  Ｃｏｍｐａｎｙで製造され、“ＨＬ−１２５８”として入手可能である。あるいは、結合手段は、熱結合、圧力による結合、超音波結合、動的機械結合、もしくは当業界で公知の他の適する結合手段もしくはこうした結合手段の組み合わせを含むことができる。特に好ましい結合手段は、複数の繊維で形成されたシート１２６より親水性が高い粘着剤であり、これの親水性が、支持部１２０より高いと更に好ましい。
【００６６】
糞便管理部材２９は、図１で、おむつ２０の後ウエスト部３８に位置するように示されている。糞便管理部材２９を少なくとも後ウエスト部３８に位置することにより、糞便管理部材２９は、おむつ２０中に堆積された糞便物の管理において最も有効であろう位置で、装着者の肛門と提携する。しかしながら、糞便管理部材２９は、股部３７まで伸び得る。また、糞便管理部材２９は、おむつ２０の前ウエスト部３６まで伸び得る。また、いくつかの実施形態において、糞便管理部材２９はおむつ２０の縦ディメンション全体に沿って伸びることができる。糞便管理部材２９を少なくとも後ウエスト部３８に位置させたのに加えて、また、トップシート２４の後ウエスト部３８に位置された部分は、低粘度の糞便物を処理するための充分な空間を有するのが好ましい。
【００６７】
最も効果的に低粘度の糞便物を処理するには、糞便管理部材は上部が空いた構造を備えなくてはならない。この問題の鍵となる１つの構成要素は、複数の繊維で形成されたシート１２６の弓状部分１３０の、支持部１２０からの高さである。更に詳述すると、複数の繊維で形成されたシート１２６の弓状部分１３０は、支持部１２０からの高さが、０,５ｍｍ以上、好ましくは１，０ｍｍ以上で、全体を通して同じである。比較的高い高さであっても、低粘度の糞便物の優れた処理を可能にするが、例えば５，０ｃｍの高さなど、そのような高さだと、おむつ内に望まない容積が作り出され、装着者は不快な思いをするだろう。
【００６８】
他の鍵となる構成要素は、糞便管理部材２９の弾性であり、特には、複数の繊維で形成されたシート１２６の弾性である。空いた状態を保持するには、複数の繊維で形成されたシート１２６には、梱包の圧力と装着者によって適用される力とに耐えるような充分な弾性が必要である。好ましくは、複数の繊維で形成されたシート１２６は、１００ｇ／ｃｍ2の力を用いるときに、３０秒を経た後少なくとも５０％の弾性を示し、より好ましくは、複数の繊維で形成されたシート１２６は、１００ｇ／ｃｍ2の力が用いられるときに、３０秒を経た後少なくとも７５％の弾性を有し、更に好ましくは、複数の繊維で形成されたシート１２６は、１００ｇ／ｃｍ2の力が用いられるときに、３０秒を経た後少なくとも８５％の弾性を有する。
【００６９】
アンカー部分１２７は、約０，２ｍｍから約２０ｍｍまでの直径を有する平面の円周が、ここで記されるようなディメンションなのが好ましく、アンカー部分１２７は、約０，２ｍｍから約１０ｍｍまでの直径を有する平面の円周が、ここで記されるようなディメンションなのがより好ましく、アンカー部分１２７は、約０，２ｍｍから約５ｍｍまでの直径を有する平面の円周が、ここで記されるようなディメンションなのが最も好ましい。
【００７０】
図３は、本発明に係わる糞便管理部材の第２の実施形態を説明しており、全体を通して参照符号１４０で示された糞便管理部材１４０は、ループ材のシート１１８の支持部１４５が支持材の第２のシート１４７を含んでいるのを除いて、糞便管理部材２９と同構造を有する。（一致する部分に関しては、同じ参照符号が使用されている。）支持材の第２のシート１４７は、複数の繊維で形成されたシート１２６と向き合った支持層１２２の側部１２４に結合される。ループ材のシート１１８の支持部１４５の支持材の第２のシート１４７は、好ましくはポリマーフィルムである。支持材の第２のシート１４７に使用されるのに適する他の材料には、多孔性フィルム、穴の空いたフィルム、穴空き形成されたフィルム、穴が空かない様に形成されたフィルム、不織物ウェブ、ミクロ細孔フィルム、穴空き不織物ウェブなどをこれらに限らず含む通気性フィルムが含まれるが、これらに限定されない。支持材の第２のシート１４７は、約０,００１２５ｃｍから０，０２５ｃｍの範囲の厚さを有する比較的薄い層であるのが好ましい。
【００７１】
図４は、本発明に係わる糞便管理部材の第３の実施形態を説明しており、全体を通して符号１５０で示されている糞便管理部材１５０は、ループ材のシート１１８の支持部１５５を除いて、糞便管理部材２９と同様の構造を有している（一致する部分に関しては、同じ参照符号が使用されている）。支持部１５５の複数の繊維１５７は、支持部１５５内の繊維の大多数（例えば８０％もしくは９０％以上）と共に、平行な結合位置１２８に対して、様々な方向に配列されることができ、結合位置１２８に対しほぼ右に角度を付けた方向に伸びている。もしくは、支持部１５５の個々の複数の繊維１５７は、間隔を開けて全体的に平行な結合位置１２８に対しほぼ右に角度を付けた方向に伸びることができる。好ましくは、複数の繊維１５７の個々は、相互結合されず、並びに、約０，０１ｍｍから１０，０ｍｍの距離を開けて互いに離れている。この複数の繊維１５７は、約０−５０の範囲内のデニールを有する。
【００７２】
図５は、本発明に係わる糞便管理部材の第４の実施形態を説明している。全体を通して参照符号１６０で示されている糞便管理部材１６０は、糞便管理部材１６０がループ材の第２のシート１６２を有しており、かつこのループ材の第２のシート１６２が複数の繊維で形成されたシート１２６に向かい合った支持層１２２の側部１２４に結合されているのを除いて、糞便管理部材２９と同様の構造を有している（一致する部分に関しては、同じ参照符号が使用されている）。ループ材の第２のシート１６２は、特に複数の繊維で形成されるシート１７６内に、長手方向を向いた多数の繊維を形成する。このシート１７６は、間隔を空けて伸び、ほぼ平行な複数の結合位置１７８において、支持層１２２に埋め込まれることにより取着され、ほとんど変形されないアンカー部分１７７を有する。前記結合位置１７８は、ループ材のシート１６２を横切って横に伸び、連続する列を成して、複数の結合位置１７８の間で支持層１２２の表面１２４から突出した繊維で形成されたシート１７６内の弓状部分１８０を伴って、表面１２４に沿った一方向に連続している。複数の繊維で形成されたシート１７６内の弓状部分１８０は、支持層１２２からの高さが、約０,５ｍｍ以上、好ましくは約１,０ｍｍ以上で、ほぼ均一であり、複数の繊維で形成されたシート１７６の高さは、結合位置１７８の間の距離の少なくとも３分の１、好ましくは２分の１から１と２分の１で、複数の繊維で形成されたシート１７６内の個々の繊維は２５デニール未満(好ましくは１デニールから１０デニールの範囲)の大きさで、支持部１２０を有さない複数の繊維で形成されたシート１７６は、第１の表面１２４にそって測定すると１平方ｍにつき５から３００ｇ（好ましくは、１平方ｍにつき１５から１００ｇの範囲内）の範囲の坪量を有する。
【００７３】
図５に示される実施形態において、結合位置１２８と１７８とは、相互提携しており、例えば、結合配置１７８の上に直接的に配置された結合配置１２８などは、弓状部分１３０と１８０とを同位相にする。また、結合位置１２８と１７８とは、これらが相互提携されず、弓状部分１３０と１８０とが異なる位相になる様に、支持部１２０に沿って配置され得る。
【００７４】
図６は、本発明に係わる糞便管理部材の第５の実施形態を説明しており、全体を通して参照符号１９０で示された糞便管理部材１９０は、ループ材のシート１１８の支持部１９５がループ材１１８に直接的に結合されたループ材のシート１９６であることを除いて、糞便管理部材２９と同様の構造を有している（一致する部分に関しては同じ参照符号が使用されている）。ループ材のシート１９６は、間隔を置いて伸びた全体を通して平行な複数の結合位置１９８に、ループ材１１８に熱結合されることによって結合され、全体を通して変形されないアンカー部分１９７と、並びにループ材のシート１９６を横切って横方向に延びている連続する列においてアンカー部分１９７から突出する、複数の繊維で形成されたシート１９６の弓状部分２００とを有し、特に複数の繊維で形成されたシート内に、長手方向に向いた大多数の繊維が形成されている。
【００７５】
図６の実施形態において、ループ材のシート１１８、１９６の弓状部分の列は、横方向に、互いに平行になるように延びている。あるいは、ループ材のシート１１８、１９６の弓状部分の列は、平行でなくても良い。例えば、ループ材のシート１９６の弓状部分の列が横方向に対して角度を成して延びているのに対し、ループ材のシート１１８の弓状部分の列は、横方向に延びることができる。
【００７６】
図７は、本発明に係わる糞便管理部材２０２のその他の実施形態の上部平面図である。糞便管理部材２０２は、弓状部分２０３の列の可能な配置構成の多数のうち１つを示している。
【００７７】
図８は、本発明に係わる糞便管理部材２０４のその他の実施形態の上部平面図である。糞便管理部材２０４は、弓状部分２０５の列の可能な配置構成の多数のうち１つを示している。
【００７８】
また、図７と図８とに見られる構成に加えて、弓状部分の列の可能なその他の配置構成は使用され得る。
【００７９】
図９は、糞便管理部材２９を形成する装置と方法とを概略的に説明している。図９に示された方法は、長手方向を向いたポリマー繊維を複数の繊維シート１２６で形成することと、複数の繊維で形成されたシート１２６を形成し、複数の繊維で形成されたシート１２６内の、間隔を空け、全体を通して平行なアンカー部分１２７から同方向に突出した弓状部分１３０を有することと、支持部１２０の前面部１２３から突出した、複数の繊維で形成されたシート１２６の、間隔を空け、全体を通して平行なアンカー部分１２７を結合することとが、一般に含まれる。この方法は、周囲で間隔を置き、全体を通して軸の方向に延び、この表面を規定している複数のリッジ２２８と、軸とを有する、熱によって波形処理された第１と第２の部材、即ちローラー２２６，２２７を提供することによって、複数のリッジ２２８を用いて、実行される。この複数のリッジ２２８は、かみ合っている複数のリッジ２２８の間で、複数の繊維で形成されたシート１２６とかみ合った関係で他の波形成形された部材２２６もしくは２２７の複数のリッジ２２８を支えるように、並びに、複数リッジ２２８の間でうねる結合と、歯車に合わせたリッジ２２８の間の空間を提供するように適合された、複数のリッジ２２８の間の間隔を規定し、かつ外面を有している。波形成形された部材２２６、２２７は、波形成形された部材２２６，２２７の、全体にかみ合っている複数のリッジ２２８部分と軸方向に平行な関係で、歯車に合わせて、設けられている。波形成形された２２６，２２７の少なくとも１部分は、回転される。並びに、複数の繊維で形成されたシート１２６は、第１の波形成形された部材２２６の周囲に向かって、複数の繊維で形成されたシート１２６を全体を通して適合させ、並びに、第１の波形成形された部材２２６の複数のリッジ２２８と第１の波形成形された部材２２６の複数のリッジ２２８の外面に沿って全体を通して平行な、複数の繊維で形成されたシート１２６のアンカー部分１２７との間に間隔を空けて複数の繊維で形成されたシート１２６の弓状部分１３０を形成するために、波形成形された部材２２６，２２７の複数のリッジ２２８のかみ合っている部分の間に提供される。複数の繊維で形成されたシート１２６は、これが複数のリッジ２２８のかみ合った部分を過ぎて移動した後に、第１の波形成形された部材２２６の周囲に沿って保持される。この熱可塑性支持層１２０は、糞便管理部材２９が、第１の波形成形された部材２２６から分離され、並びに、熱可塑性支持層１２０を完全に擬固させ、かつ冷却させる為に、冷却ローラーとピンチローラーとの間のロール間隙を通って冷却ロール２５０の周りに部分的に運搬された後に、モールド成形された状態の熱可塑性支持層１２０（例えばポリプロピレンでできている）を金型２４０から、波形成形された第１の部材２２６の周囲の複数の繊維で形成されたシート１２６のアンカー部分と冷却ロール２５０との間のロール間隙の中に押し出すことによって、第１の波形成形された部材２２６の複数のリッジ２２８の端部面で、複数の繊維で形成されたシート１２６のアンカー部分１２７に形成され、かつ結合される。ピンチローラー２６０から離された後、表面コーティング剤１９２は、表面コーティング装置１９０によって、複数の繊維で形成されたシート１２６の弓状部分１３０に適用される。適する表面コーティング装置は、この分野で公知のものが良く、好ましくは、ロール塗布機、キス塗布機、スプレー塗布機、グラビア塗布機、ナイフ塗布機、もしくは溝開口塗布機から成るグループから選択される。
【００８０】
波形成形された部材２２６，２２７の複数のリッジ２２８のかみ合った部分の間に供給された複数の繊維で形成されたシート１２６は、分配された編み糸の形状であることができ、従って、波形成形された部材２２６，２２７の複数のリッジ２２８のかみ合った部分の間に供給された複数の繊維で形成されたシート１２６内の繊維は、複数の繊維で形成されたシート１２６の全幅を横切って、均一に分配されており、全てが、全体を通して、波形成形された部材２２６，２２７の軸に対して垂直に延びており、もしくは、複数の繊維で形成されたシート１２６内の繊維は、不織物ウェブもしくはシートとして、多方向に向かって配置され得る。そのような、繊維間の摩擦を除いて全く内部結合されず、多方向を向いた複数の繊維で形成された不織物シート１２６は、説明された毛羽立て機２７０を使用して目の粗い繊維から形成されることができ、多方向を向いた複数の繊維で形成された不織物シート１２６は、波形成形された部材２２６，２２７の間（もし必要であれば、多方向を向いた複数の繊維で形成された不織物シート１２６を支え、案内するために、輸送装置（図示されず）が提供され得る）のロール間隙の中に、毛羽立て機２７０から供給されるのに、完全な状態を有する。好ましくは、波形成形された第１の部材２２６は粗い仕上げ（例えば、サンドブラスト加工）がされ、波形成形された第２の部材２２７は、滑らかな艶だし仕上げがされ、また波形成形された第１の部材２２６は、波形成形された第２の部材２２７をわずかに上回る温度まで熱され、その結果、複数の繊維で形成された不織物シート１２６は、波形成形された第１の部材２２６の表面に沿って留まるのが好ましく、並びに、波形成形された部材２２６，２２７との間のロール間隙を通って通り過ぎた後に、波形成形された第１の部材と冷却ローラー２５０との間のロール間隙に運ばれる。
【００８１】
複数の繊維で形成されたシート１２６などが中に供給され、備えられるように適合され、波形成形された部材２２６，２２７は、これらの軸に対して全体を通して０℃から９０℃の範囲で傾斜した複数のリッジ２２８を有することができるが、好ましくは、これらの軸に対して（もしくは平行に）０℃傾斜した複数のリッジ２２８を有すると、波形成形された部材２２６，２２７の形成が単純化される。
【００８２】
固体の熱可塑性シート１２０を金型２４０から押し出す代わりに、複数の繊維の多数が、金型から押し出されて、図４で説明された支持層１５５のような支持層を形成し得る。
【００８３】
金型２４０のような金型から熱可塑性の材料を押し出す代わりに、モールド成形されない支持層が使用され得る。その後は、ローラー２５０は、複数の繊維で形成されたシートの支持部を熱結合するように加熱される。
【００８４】
図１０は、糞便管理部材１４０を形成する為の、本発明に係わる方法と装置の他の実施形態を、概略的に説明しており、この方法は、付加された方法を除いて、全体を通して図９で説明されたものと同じ装置を多く使用している（これらの装置の同じ部分は同じ参照符号を有している）。前期付加された方法は、波形成形された第１のローラー２２６と冷却ローラー２５０との間のロール間隙に、冷却ローラー２５０の表面に沿って、支持材で形成されたシート１４７を供給する為の、金型２４０から押し出しモールド成形された、波形整形された第１の部材２２６の周囲に沿って、複数の繊維で形成されたシート１２６の間に堆積される支持層１２０を生み出すピンチローラー３４０と、冷却ロール２５０の表面に沿った支持材料で形成されたシート１２０とを含み、従って、モールド成形された熱可塑性支持層１２０は、複数の繊維で形成されたシート１２６のアンカー部分１２７を、包み、支持材１４７に固定する。その後に、糞便管理物１４０は、波形成形された第１の部材２２６から分離され、この熱可塑性支持層１２０を完全に冷却し、固形化するために、この支持部１４５が冷却ロール２５０に抗した状態で、冷却ロール２５０の周辺で部分的に運ばれる。モールド成形され、熱可塑性の支持層１２０は、どのような出願にも対応して最善の働きをするような、ロール間隙の中と、ロール間隙に先んじて波形成形された第１の部材２２６の複数の繊維で形成されたシートのアンカー部分１２７の上、即ちロール間隙に先んじて冷却ローラーの周辺に沿って支持材で形成されたシート１４７の上に押し出されることができる。冷却ロール２５０は、水で冷却され、並びに、冷却ロール２５０がモールド成形された熱可塑性支持層１２０から、ポリマー支持材で形成されたシート１４７を通って、冷却ロール２５０の中に提供されているような高い熱伝導率のおかげで糞便管理部材１４０を形成するのに特に有効な、クロムメッキされた周囲を有する。あるいは、冷却ロール２５０は、この表面を規定する外側ゴム層を有するのが良い。この外側ゴム層は、ゴム層が、モールド成形された熱可塑性の支持層１２０と、複数の繊維で形成されたシート１２６のアンカー部分１２７と、支持材で形成されたシート１４７との密な接触を提供するように、波形成形された第１のローラー２２６を用いて、このロール間隙に近接して変形するという代わりの利点を提供するとすぐに、支持材で形成されたシートが、冷却ロール２５０の中への熱伝導などを制限する傾向のある材料（例えば紙）でできている場合は、糞便管理物１４０を形成するのが好ましい。
【００８５】
支持部１４５に組み入れられた支持材で形成されたシート１４７は、織り、編み、粗織り、ニードルパンチ、不織物即ち絡み合った繊維でできた固形もしくは多孔性の層で形成されることができ、もしくは、連続的なポリマーフィルムで形成されることもできる。支持材で形成されたシート１２１に使用されるようなフィルムは、ポリプロピレン、ポリエステル、もしくはポリアミドのようなポリマー材料でできた単独層であり得る。もしくは、ポリエステルのような比較的高強度の材料で形成された中央層、エチレンビニールアセテートもしくはポリエチレンのような熱可塑性材料１２０で形成された層に更に容易に結合された材料の第１の面を規定する層、ポリエチレンのような基材に支持部を固定するよう適合された支持部１４７の外面を規定する層、もしくは室温で粘着性でない熱可塑性の材料でできた結合層などの層を多数有し得る。また、支持材で形成されたシートは、開放された裏地に沿って、開放された裏地が冷却ローラー２５０に密着するように配置され、圧力に反応して粘着性になる層であることも可能で、その結果、圧力に反応して粘着性になり、かつ取り外し可能な層の上の開放された裏地と共に熱可塑性材料１２０の層の後面部に離れて配置され、圧力に反応して粘着性になる層となる。故に、圧力に反応する粘着性は、糞便管理部材を基材に付着させるために使用されることが可能である。
【００８６】
好ましくは、波形成形された部材２２６，２２７及び冷却ローラー２５０の駆動力は、それぞれ制御可能であり、従って、冷却ローラー２５０は、波形成形された第１の部材２２６の表面スピードと異なった、もしくは同じ表面スピードで回転する。冷却ローラー２５０と波形成形された第１の部材２２６とは、回転され、従って、これらは同じ表面スピードを有しており、複数の繊維で形成されたシート１２６は、図２乃至図５に説明され、波形成形された第１の部材２２６の周囲に沿った支持部１２０に沿って、ほぼ同じ形状を有することとなる。冷却ローラー２５０と波形成形された第１の部材２２６とは回転され、従って、冷却ローラーは、波形成形された第１の部材２２６の表面スピードよりも遅い表面スピードを有する。複数の繊維で形成されたシート１２６のアンカー部分１２７は、支持層１２０で、冷却ローラー２５０と波形成形された第１の部材２２６との間のロール間隙において、比較的緊密に連携しており、冷却ローラー２５０と波形成形された第１の部材２２６とが回転されたときよりも、支持部１２０に沿ったループ部分１３０が比較的高密度になり、その結果、冷却ローラー２５０と波形成形された第１の部材２２６とは同じ表面スピードを有する。ループ部分１３０の量もしくはループ集団を増加させるこの技術は、同じ装置を使用して支持部の長さ１ｃｍにつき異なった数のループ部分１３０を有する糞便管理部材を作ることと、並びに、相互に緊密な畝２２８などを機械加工する場合の物理的制限が原因で、波形成形された部材２２６，２２７に機械加工された複数のリッジ２２８の間に形成され得るものよりも、支持部の長さ１ｃｍにつきより多くのループ部分１３０を有する糞便管理物を作ることとの両方に有用である。
【００８７】
また、おむつ２０は、少なくとも一つの弾性的ウエスト体３４を有し、これは改良されたフィット性と封じ込めを提供するのに役立つ。この弾性的ウエスト体３４は、装着者のウエスト部に動的にフィットするように、全体を通して、弾性的に膨張したり縮小したりするように意図されている。弾性的ウエスト体３４は、吸収性の芯２８の少なくとも１つのウエストエッジ６２から、少なくとも長手方向外方に延び、かつ、全体を通して、少なくともおむつ２０の端部エッジ部分５２を形成するのが好ましい。使い捨ておむつは、２つの弾性的ウエスト体を備え、この１つは第１のウエスト部３６に配置され、もうひとつは第２のウエスト部３８に配置されるように、構成されていることが多い。更に、弾性的ウエスト体３４もしくはこれを構成する要素のいくらかが１もしくはそれ以上の、おむつ２０に添付され、分離した合成物を有することができる。弾性的ウエスト体３４は、バックシート２６、トップシート２４、もしくはバックシート２６とトップシート２４の両方のような、おむつ２０の他の構成要素の伸長に合わせて構成されている。
【００８８】
弾性的ウエスト体３４は、１９８５年５月７日にＫｉｅｖｉｔに特許された米国特許Ｎｏ４，５１５，５９５、１９８７年１２月１にＬａｓｈに特許された米国特許Ｎｏ４，７１０，１８９、１９９２年９月９日にＢｕｅｌｌに特許された米国特許Ｎｏ５，１５１，０９２、１９９３年６月２２日にＢｕｅｌｌに特許された米国特許Ｎｏ５，２２１，２７４に説明されたものを含む、いくつかの異なった構成で組立てられることができる。他の適するウエスト体の構成は、１９９１年６月２５日にＲｏｂｅｒｔｓｏｎに特許された米国特許Ｎｏ５，０２６，３６４、１９８９年３月２８日にＦｏｒｅｍａｎに特許された米国特許Ｎｏ４，８１６，０２５に説明されているようなウエストキャップ体を含むことができる。上述、参照した特許の全てが、本明細書に組み入れられる。
【００８９】
また、おむつ２０は、固定システム４０を有し得る。固定システム４０は、おむつ２０を装着者に保持する為のおむつ２０の周囲の側方張力を提供する為に、第１のウエスト部３６と第２のウエスト部３８とを、重なり合わせた構成で保持するのが好ましい。固定システム４０は、粘着テープのタブ,又は／並びに、ホック、ループ固定部品を有するのが好ましいが、他の公知の固定手段も、一般的に容認できる。固定システムのいくつかの例は、１９７４年１１月１９日にＢｕｅｌｌに特許され、“Tape fastening system  for Disposable Diaper ”と題された米国特許Ｎｏ３，８４８，５９４、１９８７年５月５日にＨｉｒｏｔｓｕに特許され、“Absorbent Article”と題された米国特許ＮｏＢ１４，６６２，８７５、１９８９年７月１１日にＳｃｒｉｐｐｓに特許され、“Disposable Diaper Having An  Improved Fastening Device ”と題された米国特許Ｎｏ４，８４６，８１５、１９９０年１月１６日にＮｅｓｔｅｇａｒｄに特許され、“Disposable Diaper With Improved Hook Fastner Portion”と題された米国特許Ｎｏ４，８９４，０６０、１９９０年８月７日にＢａｔｔｒｅｌｌに特許され、“Pressure-sensitive Adhesive Fastener And Method of making Same”と題された米国特許Ｎｏ４，９４６，５２７、並びに本明細書で前に参照した、１９９２年９月９日にＢｕｅｌｌに特許された米国特許Ｎｏ５，１５１，０９２に開示されている。また、固定システムは、１９９０年１０月１６日にＲｏｂｅｒｔｓｏｎに特許された米国特許Ｎｏ４,９６３、１４０に開示された使い捨て構造内に、１品を維持できる手段を提供すると良い。これらの特許は参照して、本明細書に組み入れられる。
【００９０】
また、おむつ２０は、サイドパネル３０を有し得る。このサイドパネル３０は伸縮自在即ち弾性的であり得る。従って、弾性的なサイドパネル３０によりおむつ２０の側面が伸縮するので、比較的快適で体の輪郭に沿ったフィット性を提供し、かつ、装着している間中、おむつ２０が滲出物を内部に堆積してからも、優れたフィット性を維持することができる。また、おむつ装着者が、着用中にサイドパネル３０を他のパネルより遠くに引っ張った場合にも、装着中のおむつ２０は自己調整するので、弾性的サイドパネル３０は、おむつ２０の比較的効果的な着用を提供することができる。
【００９１】
本発明のおむつ２０は第２のウエスト体３８に配置されたサイドパネル３０を有するのが好ましいが、また、おむつ２０は、第１のウエスト体３６もしくは第１のウエスト体３６と第２のウエスト体３８との両方に配置されたサイドパネル３０と共に提供されることもできる。サイドパネル３０は、所定の適する形状で組立てられ得る。弾性的サイドパネルを備えたおむつの例は、１９８９年８月１５日にＷｏｏｄに特許され、“Disposable Diaper Having Shirred Ears ”と題された米国特許Ｎｏ４，８５７，０６７、１９８３年５月３日にＳｃｉａｒａｆｆａに特許された米国特許Ｎｏ４，３８１，７８１、１９９０年７月３日にＶａｎ  Ｇｏｍｐｅｌに特許された米国特許Ｎｏ４，９３８，７５３、本明細書で前述参照した、１９９２年９月９日にＢｕｅｌｌに特許された米国特許Ｎｏ５，１５１，０９２、並びに１９９３年６月２２日Ｂｕｅｌｌに特許された米国特許Ｎｏ５，２２１，２７４、１９９７年９月２３日にＬａＶｏｎに特許され、“Absorbent Articles Providing Sustained Dynamic Fit”と題された米国特許Ｎｏ５，６６９，８９７、１９９３年１１月１９日にＲｏｂｌｅｓの名前で申し立てられ、“Absorbent Article With Multi-Directional Extensible Side Panels”と題された米国特許出願Ｎｏ０８／１５５，０４８で、これらは夫々に参照して本明細書に組み入れられる。
【００９２】
更に、おむつ２０は、液体、他の身体の滲出物の改善された封じ込めを提供する、レッグカフス３２を有する。また、レッグカフスとは、レッグバンド、サイドフラップ、バリアーカフス、即ち弾性的カフスについてである。米国特許Ｎｏ３，８６０，００３は、サイドフラップを有する収縮性レッグ開口部と、レッグカフ（ガスケット材料でできたカフ）に弾性を持たせる為の１つもしくはそれ以上の弾性的部材とを提供する使い捨ておむつについて説明している。１９８９年２月２８日にＡｚｉｚに特許された米国特許Ｎｏ４，８０８，１７８、１９９０年３月２０日にＡｚｉｚに特許された米国特許Ｎｏ４，９０９，８０３は、夫々に、脚部の封じ込めを改善する“ちゃんとした（stand-up）”弾性的フラップ（バリアーカフス）を有する使い捨ておむつについて、説明している。１９８７年９月２２日にＤｒａｇｏｏに特許された米国特許Ｎｏ４，６９５、２７８、１９８９年１月３日にＤｒａｇｏｏに特許された米国特許Ｎｏ４，７９５，４５４は、夫々、ガスケット材料でできたカフスとバリアーカフスとで形成された二重カフスを有する使い捨ておむつについて説明している。
【００９３】
本発明のおむつ２０の実施形態は、ウエスト領域の一部、好ましくは後ウエスト部３８を、装着者の背部の下方に位置付け、かつ装着者の脚の間からおむつ２０の残りの部分を引き出すことによって、装着者に適用され得る。他のウエスト領域、好ましくは前ウエスト部３６は、装着者の正面を横切って位置される。次に、おむつ装着者は、前ウエスト部３６を後ウエスト部３８が重なり合う構成になるように、装着者の周囲をサイドパネル３０で包む。代表的には、装着者の寸法と形状に適合するように、この作業の間、サイドパネル３０は伸ばされ、かつ引っ張られている。前期固定システム４０は、側部の封じ込めを効果的にするために固定されている。
【図面の簡単な説明】
【図１】  図１は、下構造を見せるために切断された一部を有し、おむつの衣類に面する表面が見る者に面した状態の、本発明の吸収体の実施の形態の平面図である。
【図２】  図２は、本発明の糞便管理部材の斜視図である。
【図３】  図３は、本発明の糞便管理部材の第２の実施形態の斜視図である。
【図４】  図４は、本発明の糞便管理部材の第３の実施形態の斜視図である。
【図５】  図５は、本発明の糞便管理部材の第４の実施形態の斜視図である。
【図６】  図６は、本発明の糞便管理部材の第５の実施形態の斜視図である。
【図７】  図７は、本発明の糞便管理部材のその他の実施形態の平面図である。
【図８】  図８は、本発明の糞便管理部材のその他の実施形態の平面図である。
【図９】  図９は、本発明の糞便管理部材を作る機器並びに方法の概略図である。
【図１０】  図１０は、本発明の糞便管理部材を作る機器並びに方法のその他の実施形態の概略図である。
【符号の説明】
２４…トップシート、２６…バックシート、２９…糞便管理部材、１２０…支持部、１２８…結合位置。
【図１】
0004425468.tif 000003
【図２】
0004425468.tif 000004
【図３】
0004425468.tif 000005
【図４】
0004425468.tif 000006
【図５】
0004425468.tif 000007
【図６】
0004425468.tif 000008
【図７】
0004425468.tif 000009
【図８】
0004425468.tif 000010
【図９】
0004425468.tif 000011
【図１０】
0004425468.tif 000012